【手続補正書】
【提出日】平成30年8月13日(2018.8.13)
【手続補正１】
【補正対象書類名】特許請求の範囲
【補正対象項目名】全文
【補正方法】変更
【補正の内容】
【特許請求の範囲】
【請求項１】
有機顔料、分散剤、溶剤、重合開始剤及びアルカリ可溶性樹脂を含有する着色組成物であって、該着色組成物に含まれるカルシウム（Ｃａ）と鉄（Ｆｅ）の合計質量が、該着色組成物全体に対して１２０質量ｐｐｍ以下であり、更に、該着色組成物に含まれるマグネシウム（Ｍｇ）とアルミニウム（Ａｌ）とクロム（Ｃｒ）の合計質量が、該着色組成物全体に対して３０質量ｐｐｍ以下であることを特徴とするカラーフィルタ用着色組成物。
【請求項２】
上記有機顔料は、スルホ基、スルホンアミド基、カルボキシ基、及び、該官能基の金属塩若しくはアンモニウム塩からなる群より選ばれる１種以上の酸性基を有する酸性色素誘導体を含有する請求項１に記載のカラーフィルタ用着色組成物。
【請求項３】
上記酸性色素誘導体は、アントラキノン顔料、ジケトピロロピロール顔料、アゾ顔料、キノフタロン顔料、ジオキサジン顔料及びフタロシアニン顔料からなる群から選ばれた１種以上の顔料骨格を有し、酸性基を有する色素誘導体である請求項１又は請求項２に記載のカラーフィルタ用着色組成物。
【請求項４】
上記分散剤が下記一般式（１）で表される構成単位を含む塩基性ブロック共重合体である請求項１ないし請求項３の何れかの請求項に記載のカラーフィルタ用着色組成物。
【化１】
2017090930.tif 000001
［一般式（１）中、Ｒ１は水素原子又はメチル基、Ａは２価の連結基、Ｒ２及びＲ３は、それぞれ独立して、水素原子又はヘテロ原子を含んでもよい炭化水素基を表し、Ｒ２及びＲ３が互いに結合して環構造を形成してもよい。］
【請求項５】
上記塩基性ブロック共重合体が、上記一般式（１）で表される構成単位のうちの少なくとも一部の構成単位の窒素がカチオンとなるように、下記一般式（２）〜（４）で表される化合物よりなる群から選ばれる１種以上の化合物が結合して塩を形成してなる塩型ブロック共重合体である請求項４に記載のカラーフィルタ用着色組成物。
【化２】
2017090930.tif 000002
［一般式（２）において、Ｒａは、炭素数１〜２０の、直鎖、分岐鎖若しくは環状のアルキル基；置換基を有してもよい、ビニル基、フェニル基若しくはベンジル基；又は−Ｏ−Ｒｅを表し、Ｒｅは、炭素数１〜２０の、直鎖、分岐鎖若しくは環状のアルキル基；置換基を有してもよい、ビニル基、フェニル基若しくはベンジル基；又は炭素数１〜４のアルキレン基を介した（メタ）アクリロイル基を表す。］
【化３】
2017090930.tif 000003
［一般式（３）において、Ｒｂ、Ｒｂ’及びＲｂ”は、それぞれ独立に、水素原子；酸性基若しくはそのエステル基；置換基を有してもよい炭素数１〜２０の、直鎖、分岐鎖若しくは環状のアルキル基；置換基を有してもよいビニル基、フェニル基若しくはベンジル基；又は−Ｏ−Ｒｆを表し、Ｒｆは、置換基を有してもよい、炭素数１〜２０の直鎖、分岐鎖若しくは環状のアルキル基；置換基を有してもよい、ビニル基、フェニル基若しくはベンジル基；又は炭素数１〜４のアルキレン基を介した（メタ）アクリロイル基を表し、Ｘは、塩素原子、臭素原子又はヨウ素原子を表す。］
【化４】
2017090930.tif 000004
［一般式（４）において、Ｒｃ及びＲｄは、それぞれ独立に、水素原子；水酸基；炭素数１〜２０の、直鎖、分岐鎖若しくは環状のアルキル基；置換基を有してもよい、ビニル基、フェニル基若しくはベンジル基；又は−Ｏ−Ｒｅを表し、Ｒｅは、炭素数１〜２０の、直鎖、分岐鎖若しくは環状のアルキル基；置換基を有してもよい、ビニル基、フェニル基若しくはベンジル基；又は炭素数１〜４のアルキレン基を介した（メタ）アクリロイル基を表す。ただし、Ｒｃ及びＲｄの少なくとも１つは炭素原子を含む。］
【請求項６】
上記有機顔料が、アントラキノン顔料、ジケトピロロピロール顔料、アゾ顔料、キノフタロン顔料、ジオキサジン顔料及びフタロシアニン顔料からなる群から選ばれた１種以上の有機顔料である請求項１ないし請求項５の何れかの請求項に記載のカラーフィルタ用着色組成物。
【請求項７】
有機顔料、分散剤及び溶剤を含有するカラーフィルタ用顔料分散液であって、該カラーフィルタ用顔料分散液に含まれるカルシウム（Ｃａ）と鉄（Ｆｅ）の合計質量が、該カラーフィルタ用顔料分散液全体に対して１８０質量ｐｐｍ以下であり、更に、該カラーフィルタ用顔料分散液に含まれるマグネシウム（Ｍｇ）とアルミニウム（Ａｌ）とクロム（Ｃｒ）の合計質量が、該カラーフィルタ用顔料分散液全体に対して４０質量ｐｐｍ以下であることを特徴とするカラーフィルタ用顔料分散液。
【請求項８】
上記有機顔料は、スルホ基、スルホンアミド基、カルボキシ基、及び、該官能基の金属塩若しくはアンモニウム塩からなる群より選ばれる１種以上の酸性基を有する酸性色素誘導体を含有する請求項７に記載のカラーフィルタ用顔料分散液。
【請求項９】
上記酸性色素誘導体は、アントラキノン顔料、ジケトピロロピロール顔料、アゾ顔料、キノフタロン顔料、ジオキサジン顔料及びフタロシアニン顔料からなる群から選ばれた１種以上の顔料骨格を有し、酸性基を有する色素誘導体である請求項７又は請求項８に記載のカラーフィルタ用顔料分散液。
【請求項１０】
上記分散剤が下記一般式（１）で表される構成単位を含む塩基性ブロック共重合体である請求項７ないし請求項９の何れかの請求項に記載のカラーフィルタ用顔料分散液。
【化５】
2017090930.tif 000005
［一般式（１）中、Ｒ１は水素原子又はメチル基、Ａは２価の連結基、Ｒ２及びＲ３は、それぞれ独立して、水素原子又はヘテロ原子を含んでもよい炭化水素基を表し、Ｒ２及びＲ３が互いに結合して環構造を形成してもよい。］
【請求項１１】
上記塩基性ブロック共重合体が、上記一般式（１）で表される構成単位のうちの少なくとも一部の構成単位の窒素がカチオンとなるように、下記一般式（２）〜（４）で表される化合物よりなる群から選ばれる１種以上の化合物が結合して塩を形成してなる塩型ブロック共重合体である請求項１０に記載のカラーフィルタ用顔料分散液。
【化６】
2017090930.tif 000006
［一般式（２）において、Ｒａは、炭素数１〜２０の、直鎖、分岐鎖若しくは環状のアルキル基；置換基を有してもよい、ビニル基、フェニル基若しくはベンジル基；又は−Ｏ−Ｒｅを表し、Ｒｅは、炭素数１〜２０の、直鎖、分岐鎖若しくは環状のアルキル基；置換基を有してもよい、ビニル基、フェニル基若しくはベンジル基；又は炭素数１〜４のアルキレン基を介した（メタ）アクリロイル基を表す。］
【化７】
2017090930.tif 000007
［一般式（３）において、Ｒｂ、Ｒｂ’及びＲｂ”は、それぞれ独立に、水素原子；酸性基若しくはそのエステル基；置換基を有してもよい炭素数１〜２０の、直鎖、分岐鎖若しくは環状のアルキル基；置換基を有してもよいビニル基、フェニル基若しくはベンジル基；又は−Ｏ−Ｒｆを表し、Ｒｆは、置換基を有してもよい、炭素数１〜２０の直鎖、分岐鎖若しくは環状のアルキル基；置換基を有してもよい、ビニル基、フェニル基若しくはベンジル基；又は炭素数１〜４のアルキレン基を介した（メタ）アクリロイル基を表し、Ｘは、塩素原子、臭素原子又はヨウ素原子を表す。］
【化８】
2017090930.tif 000008
［一般式（４）において、Ｒｃ及びＲｄは、それぞれ独立に、水素原子；水酸基；炭素数１〜２０の、直鎖、分岐鎖若しくは環状のアルキル基；置換基を有してもよい、ビニル基、フェニル基若しくはベンジル基；又は−Ｏ−Ｒｅを表し、Ｒｅは、炭素数１〜２０の、直鎖、分岐鎖若しくは環状のアルキル基；置換基を有してもよい、ビニル基、フェニル基若しくはベンジル基；又は炭素数１〜４のアルキレン基を介した（メタ）アクリロイル基を表す。ただし、Ｒｃ及びＲｄの少なくとも１つは炭素原子を含む。］
【請求項１２】
上記有機顔料が、アントラキノン顔料、ジケトピロロピロール顔料、アゾ顔料、キノフタロン顔料、ジオキサジン顔料及びフタロシアニン顔料からなる群から選ばれた１種以上の有機顔料である請求項７ないし請求項１１の何れかの請求項に記載のカラーフィルタ用顔料分散液。
【請求項１３】
請求項１ないし請求項６の何れかの請求項に記載のカラーフィルタ用着色組成物の硬化物である着色層を有することを特徴とするカラーフィルタ。
【請求項１４】
請求項７ないし請求項１２の何れかの請求項に記載のカラーフィルタ用顔料分散液を含有するカラーフィルタ用着色組成物の硬化物である着色層を有することを特徴とするカラーフィルタ。
【請求項１５】
請求項１３又は請求項１４に記載のカラーフィルタを有するものであることを特徴とする表示装置。